(57)【要約】【課題】内部に鋼鈑を備えた壁面に取付けられた状態で使用しても、また、その壁面から取外した状態で使用しても、制御対象である電子機器を安定して遠隔制御することができるリモコン装置を提供する。【解決手段】壁面に着脱可能であって、電波信号を送信する無線送信回路を有し、この無線送信回路から制御対象である電子機器へ電波信号を送信することにより、電子機器の動作制御を行うリモコン装置において、接地電位に接続することにより、無線送信回路との間に所定のインピーダンスを発生させるインピーダンス発生手段と、インピーダンス発生手段と接地電位との接続と切断とを切替えるスイッチ手段とを設けることとした。【選択図】図６
2007129646.tif 000002
【特許請求の範囲】
【請求項１】
壁面に着脱可能であって、電波信号を送信する無線送信回路を有し、この無線送信回路から制御対象である電子機器へ電波信号を送信することにより、前記電子機器の動作制御を行うリモコン装置において、
接地電位に接続することにより、前記無線送信回路との間に所定のインピーダンスを発生させるインピーダンス発生手段と、
前記インピーダンス発生手段と前記接地電位との接続と切断とを切替えるスイッチ手段とを設けたことを特徴とするリモコン装置。
【請求項２】
前記インピーダンス発生手段は、プリント基板に形成した導電性部材からなる箔であることを特徴とする請求項１に記載のリモコン装置。
【請求項３】
前記所定のインピーダンスは、前記リモコン装置を内部に鋼板が設けられている壁面に取付けて、前記インピーダンス発生手段と前記接地電位との接続を切断したときに、前記鋼板と前記無線送信回路との間に発生するインピーダンスと略等しいことを特徴とする請求項１又は２に記載のリモコン装置。
【請求項４】
前記電波信号のキャリアレベルを検出するキャリアレベル検出手段と、
当該キャリアレベル検出手段により検出したキャリアレベルが所定値よりも低いと判断したときに、前記キャリアレベルを高めるように前記スイッチ手段を切替える制御を行う制御手段とを有することを特徴とする請求項１〜３のいずれか１項に記載のリモコン装置。
【請求項５】
前記キャリアレベル検出手段は、前記無線送信回路において電波信号を送信するための送信用アンテナへ入力される電波信号のキャリアレベルを検出することを特徴とする請求項４に記載のリモコン装置。
【請求項６】
前記送信用アンテナから送信される電波信号を受信する電波受信回路を有し、前記キャリアレベル検出手段は、前記電波受信回路により受信した電波信号のキャリアレベルを検出することを特徴とする請求項４又は５に記載のリモコン装置。
【請求項７】
前記キャリアレベル検出手段は、前記リモコン装置が利用者に操作される度に、前記キャリアレベルを検出することを特徴とする請求項４〜６のいずれか１項に記載のリモコン装置。
【請求項８】
前記キャリアレベル検出手段は、前記無線送信回路が利用者による本リモコン装置の操作に対応した電波信号を出力する前に出力するキャリアレベル検出用の試験信号に基づいてキャリアレベルの検出を行うことを特徴とする請求項７に記載のリモコン装置。
【発明の詳細な説明】
【技術分野】
【０００１】
本発明は、リモコン装置に関するものであり、特に、鋼鈑を備えた壁面に取付けた状態であっても、壁面から取り外した状態であっても制御対象となる電子機器の動作を適切に遠隔制御することができるリモコン装置に関するものである。
【背景技術】
【０００２】
従来、制御対象となる電子機器へ電波信号を送信することにより、電子機器の動作を遠隔制御する電波送信装置が広く実用化されていた。
【０００３】
この種の電波送信装置は、一般に、電波信号を送信する無線送信回路を有しており、この無線送信回路から送信用アンテナを介して制御対象である電子機器へ電波信号を送信し、その電波信号により電子機器の動作制御を行うように構成していた。
【０００４】
このように構成した電波送信装置のなかには、柱や壁面に取付け固定した状態で使用されるものがあるが、電波送信装置の取付け対象やその近傍に金属体（磁性体）が存在すると、送信用アンテナのインピーダンスが変化してしまい、共振周波数がずれて電波信号の送信出力（キャリアレベル）が低下し、電子機器の動作を正常に遠隔制御することができなくなるといった問題が生じる。
【０００５】
そこで、近年、送信用アンテナを構成する筐体の一部であって、この電波送信装置の取付け面側を金属体により形成することによって、電波送信装置の取付け対象やその近傍に存在する金属体による送信用アンテナのインピーダンスの変化を抑制することができる電波送信装置が考案されている（たとえば、特許文献１参照。）。
【特許文献１】特開２００１−３４８５８号公報
【発明の開示】
【発明が解決しようとする課題】
【０００６】
ところが、上記従来の電波送信装置は、壁面等に固定した状態で使用する場合には電子機器の動作を正常に遠隔制御することはできるが、壁面などから取外して使用した場合に、正常に電子機器の動作を遠隔制御することができないおそれがあったため、洗浄便座装置用のリモコン装置のように、壁面などに着脱可能なリモコン装置に適用することが困難であった。
【０００７】
すなわち、洗浄便座装置用のリモコン装置は、塩ビ鋼鈑などのように内部に鋼板を備えた壁面に着脱自在に設置して使用されるものがあるため、上記従来の電波送信装置を適用すると、壁面に取付けた状態で使用する場合には、正常に洗浄便座装置を遠隔制御することができるが、使用者が壁面からリモコン装置を取り外し、手に取って操作した場合には、リモコン装置と塩ビ鋼鈑との距離が変化してしまうため、リモコン装置内部の送信用アンテナや無線送信回路と、鋼鈑との間に発生するインピーダンスが変化して電波信号のキャリアレベルが低下し、その結果、洗浄便座装置が電波信号を的確に受信することができなくなってしまうおそれがあった。
【課題を解決するための手段】
【０００８】
そこで、請求項１に係る本発明では、壁面に着脱可能であって、電波信号を送信する無線送信回路を有し、この無線送信回路から制御対象である電子機器へ電波信号を送信することにより、電子機器の動作制御を行うリモコン装置において、接地電位に接続することにより、無線送信回路との間に所定のインピーダンスを発生させるインピーダンス発生手
段と、インピーダンス発生手段と接地電位との接続と切断とを切替えるスイッチ手段とを設けることとした。
【０００９】
また、請求項２に係る本発明では、請求項１に記載のリモコン装置において、インピーダンス発生手段は、プリント基板に形成した導電性部材からなる箔であることを特徴とする。
【００１０】
また、請求項３に係る本発明では、請求項１又は請求項２に記載のリモコン装置において、所定のインピーダンスは、リモコン装置を内部に鋼板が設けられている壁面に取付けて、インピーダンス発生手段と接地電位との接続を切断したときに、鋼板と無線送信回路との間に発生するインピーダンスと略等しいことを特徴とする。
【００１１】
また、請求項４に係る本発明では、請求項１〜３のいずれか１項に記載のリモコン装置において、電波信号のキャリアレベルを検出するキャリアレベル検出手段と、当該キャリアレベル検出手段により検出したキャリアレベルが所定値よりも低いと判断したときに、キャリアレベルを高めるようにスイッチ手段を切替える制御を行う制御手段とを有することを特徴とする。
【００１２】
また、請求項５に係る本発明では、請求項４に記載のリモコン装置において、キャリアレベル検出手段は、無線送信回路において電波信号を送信するための送信用アンテナへ入力される電波信号のキャリアレベルを検出することを特徴とする。
【００１３】
また、請求項６に係る本発明では、請求項４又は５に記載のリモコン装置において、送信用アンテナから送信される電波信号を受信する電波受信回路を有し、キャリアレベル検出手段は、電波受信回路により受信した電波信号のキャリアレベルを検出することを特徴とする。
【００１４】
また、請求項７に係る本発明では、請求項４〜６のいずれか１項に記載のリモコン装置において、キャリアレベル検出手段は、リモコン装置が利用者に操作される度に、キャリアレベルを検出することを特徴とする。
【００１５】
また、請求項８に係る本発明では、請求項７に記載のリモコン装置において、キャリアレベル検出手段は、無線送信回路が利用者による本リモコン装置の操作に対応した電波信号を出力する前に出力するキャリアレベル検出用の試験信号に基づいてキャリアレベルの検出を行うことを特徴とする。
【発明の効果】
【００１６】
本発明によれば、以下に記載するような効果を奏する。
【００１７】
請求項１に係る本発明では、壁面に着脱可能であって、電波信号を送信する無線送信回路を有し、この無線送信回路から制御対象である電子機器へ電波信号を送信することにより、電子機器の動作制御を行うリモコン装置において、接地電位に接続することにより、無線送信回路との間に所定のインピーダンスを発生させるインピーダンス発生手段と、インピーダンス発生手段と接地電位との接続と切断とを切替えるスイッチ手段とを設けることとしたため、内部に鋼板を備えた壁面に取付けた状態で使用する場合には、スイッチ手段によりインピーダンス発生手段と接地電位との接続を切断し、壁面から取り外した状態で使用する場合にはインピーダンス発生手段と接地電位とを接続することによって、リモコン装置を壁面に取付けて使用した場合に無線送信回路と接地電位との間に生じるインピーダンスと、リモコン装置を壁面から取外して使用した場合に無線送信回路と接地電位との間に生じるインピーダンスとの差を可及的に小さくすることができるので、制御対象と
なる電子機器へ正常に電波信号を受信させることができる。
【００１８】
また、請求項２に係る本発明では、請求項１に記載のリモコン装置において、インピーダンス発生手段は、プリント基板に形成した導電性部材からなる箔であることを特徴とするため、専用の部材を追加しない簡易な構造で電子機器へ安定した電波信号を送信することができるリモコン装置を比較的低コストにより提供することができ、しかも、リモコン装置の厚さが増すこともないので、リモコン装置の外観を損なうこともない。
【００１９】
また、請求項３に係る本発明では、請求項１又は請求項２に記載のリモコン装置において、所定のインピーダンスは、リモコン装置を内部に鋼板が設けられている壁面に取付けて、インピーダンス発生手段と接地電位との接続を切断したときに、鋼板と無線送信回路との間に発生するインピーダンスと略等しいことを特徴とするため、鋼板を備えた壁面に本リモコン装置を取付けて使用する場合に、インピーダンス発生手段と接地電位とを切断状態とし、鋼板が使用されていない壁面にリモコン装置を取付けて使用する場合、又は、リモコン装置を壁面から取外して使用する場合には、インピーダンス発生手段と接地電位とを接続した状態とすることによって、無線送信回路に生じるインピーダンスをいずれの場合も略一定に保つことができるようになり、インピーダンスの変化に起因して無線送信回路が出力する電波信号の周波数やキャリアレベルが変化することもなくなるので、電子機器へ安定した電波信号を送信することができる。
【００２０】
また、請求項４に係る本発明では、請求項１〜３のいずれか１項に記載のリモコン装置において、電波信号のキャリアレベルを検出するキャリアレベル検出手段と、当該キャリアレベル検出手段により検出したキャリアレベルが所定値よりも低いと判断したときに、キャリアレベルを高めるようにスイッチ手段を切替える制御を行う制御手段とを有することを特徴とするため、電子機器に対して安定したキャリアレベルの電波信号を送信することができる。
【００２１】
また、請求項５に係る本発明では、請求項４に記載のリモコン装置において、キャリアレベル検出手段は、無線送信回路において電波信号を送信するための送信用アンテナへ入力される電波信号のキャリアレベルを検出することを特徴とするため、電波信号の定在波比からキャリアレベルを検出でき、無線送信回路と送信用アンテナとのマッチング状態も検出することができる。
【００２２】
また、請求項６に係る本発明では、請求項４又は５に記載のリモコン装置において、送信用アンテナから送信される電波信号を受信する電波受信回路を有し、キャリアレベル検出手段は、電波受信回路により受信した電波信号のキャリアレベルを検出することを特徴とするため、送信用アンテナから送信される電波信号を直接調べることができるので、一層正確に電波信号のキャリアレベルを検出することができる。
【００２３】
また、請求項７に係る本発明では、請求項４〜６のいずれか１項に記載のリモコン装置において、キャリアレベル検出手段は、リモコン装置が利用者に操作される度に、キャリアレベルを検出することを特徴とするため、鋼板を備えている壁面に取付けたリモコン装置を利用者が手に持って操作するときのように、操作時にリモコン装置と鋼板との間に生じるインピーダンスが減少しても、その都度キャリアレベルを検出してインピーダンス発生手段と接地電位との接続状態をスイッチ手段により切替えることができるので、リモコン装置の使用形態にかかわらず、安定した電波信号を電子機器へ送信することができる。
【００２４】
また、請求項８に係る本発明では、請求項７に記載のリモコン装置において、キャリアレベル検出手段は、無線送信回路が利用者による本リモコン装置の操作に対応した電波信号を出力する前に出力するキャリアレベル検出用の試験信号に基づいてキャリアレベルの
検出を行うことを特徴とするため、試験信号から電波信号のキャリアレベルを検出し、その検出結果に基づいて容量発生手段と接地電位との接続状態をスイッチ手段により切替えて電子機器に電波信号を送信することができるので、電子機器へ電波信号を送信する前にスイッチ手段を切替えることができ、電子機器に対して安定した電波信号を送信することができる。
【発明を実施するための最良の形態】
【００２５】
本発明に係るリモコン装置は、電波信号を送信する無線送信回路を備えており、この無線送信回路から制御対象である電子機器へ電波信号を送信することにより、電子機器が備える複数種類の機能を遠隔制御により作動させるものである。
【００２６】
また、このリモコン装置は、内部に鋼鈑（導電性部材かなる板体）を備えた壁面（例えば、塩ビ鋼鈑）に取付けた状態で使用しても、塩ビ鋼鈑から取外した状態で利用者が手に取って使用しても、制御対象である電子機器が安定して受信することができる電波信号を送信することができるように、インピーダンス発生手段とスイッチ手段とを備えている。
【００２７】
このインピーダンス発生手段は、リモコン装置が備える無線送信回路の近傍に設けるものであり、具体的には、リモコン装置内部のプリント基板に形成した導電性部材からなる箔により構成している。
【００２８】
そして、このインピーダンス発生手段は、接地電位と接続することによって、無線送信回路との間に容量成分とインダクタンス成分とからなる所定のインピーダンスを発生させるものである。
【００２９】
ここでいう接地電位とは、リモコン装置内部の基板に設けたグランドのことであり、リモコン装置を動作させる際の基準電位となるものである。
【００３０】
また、スイッチ手段は、上記したインピーダンス発生手段と接地電位との接続と切断とを切替えるものである。
【００３１】
そして、このスイッチ手段を動作させてインピーダンス発生手段と接地電位とを接続状態とすることにより、無線送信回路とインピーダンス発生手段との間に所定のインピーダンスを発生させ、インピーダンス発生手段と接地電位との接続を切断状態とすることによって無線送信回路とインピーダンス発生手段との間に発生するインピーダンスを可及的に小さくするようにしている。
【００３２】
特に、このリモコン装置では、当該リモコン装置を塩ビ鋼鈑から取外した状態で、インピーダンス発生手段を接地電位に接続して無線送信回路を動作させたときに無線送信回路に発生する所定のインピーダンスと、このリモコン装置を塩ビ鋼鈑に取付けた状態で、インピーダンス発生手段と接地電位との接続を切断して無線送信回路を動作させたときに鋼板（アース）と無線通信回路との間に発生するインピーダンスとが略等しくなるように、インピーダンス発生手段の面積、厚さ、無線送信回路との位置関係を予め設定しておく。
【００３３】
さらに、このリモコン装置は、無線送信回路が送信する電波信号のキャリアレベルを検出するキャリアレベル検出手段と、このキャリアレベル検出手段により検出したキャリアレベルが所定値よりも低いと判断したときに、キャリアレベルを高めるようにスイッチ手段を切替える制御を行う制御手段とを備えている。
【００３４】
すなわち、この制御手段は、リモコン装置が塩ビ鋼鈑に取付けられている状態において、インピーダンス発生手段と接地電位との接続を切断させるようにスイッチ手段を制御す
る。こうすることにより、無線送信回路を動作させたときに、無線送信回路と塩ビ鋼鈑内部の鋼鈑との間に生じるインピーダンスが上記した所定のインピーダンスとなる。なお、無線送信回路の初期設定として、このリモコン装置を塩ビ鋼鈑に取付けた状態で、制御対象となる電子機器が良好に電波信号を受信できるように無線送信回路を構成する各素子の抵抗値、容量値、インダクタンスを予め設定することにより無線送信回路と電波信号を送信する送信用アンテナとのマッチングを行っておく。
【００３５】
このように初期設定を行ったリモコン装置は、利用者により塩ビ鋼鈑から取外されて使用されると、無線送信回路と塩ビ鋼鈑内部の鋼鈑との距離が増大して、無線送信回路と鋼鈑との間に生じるインピーダンスが変化（減少）し、これによって、無線送信回路と送信用アンテナとのマッチングが崩れてしまい、電子機器へ送信する電波信号のキャリアレベルが低下する。
【００３６】
このときのキャリアレベルの低下をキャリアレベル検出手段により検出し、この検出結果に基づいて制御手段がスイッチ手段を制御してインピーダンス発生手段と接地電位とを接続させる。
【００３７】
これにより、無線送信回路とインピーダンス発生手段との間に上記した所定のインピーダンスが発生するため、無線送信回路には、リモコン装置を塩ビ鋼鈑に取付けているときと略同等なインピーダンスが生じることとなり、無線送信回路と送信用アンテナとのマッチングが回復し、電子機器へ送信する電波信号のキャリアレベルが高まって元に戻る。
【００３８】
その結果、このリモコン装置は、塩ビ鋼鈑に取り付けられている状態でも、利用者が手に持っている状態でも、制御対象の電子機器が良好に受信できるキャリアレベルの電波信号を送信することができる。
【００３９】
また、このリモコン装置が備えるキャリアレベル検出手段は、無線送信回路において電波信号を生成する電波信号生成回路から送信用アンテナへ入力される電波信号のキャリアレベルを検出するように構成している。
【００４０】
これにより、電波信号の定在波比からキャリアレベルを検出でき、無線送信回路と送信用アンテナとのマッチング状態も検出することができる。
【００４１】
また、このリモコン装置は、送信用アンテナから送信される電波信号を受信する電波信号受信回路を更に設け、この電波信号受信回路により受信した電波信号のキャリアレベルをキャリアレベル検出手段により検出するように構成することもできる。
【００４２】
このように構成することによって、電子機器へ送信される実際の電波信号のキャリアレベルを直接検出することができるので、電波信号のキャリアレベルをより正確に検出することができる。
【００４３】
また、キャリアレベル検出手段による電波信号のキャリアレベルの検出は、リモコン装置を利用者が操作する度毎に行うようにしており、これにより、リモコン装置の使用形態が変化しても、利用者がこのリモコン装置を操作するときに適切に制御手段によるスイッチ手段の動作制御を行うことができ、安定して電子機器の機能を遠隔制御することができる。
【００４４】
また、無線送信回路は、利用者がこのリモコン装置を操作すると、電子機器制御用の電波信号を送信する前に、キャリアレベル検出用の電波信号である試験信号を送信するようにしており、キャリアレベル検出手段は、この試験信号のキャリアレベルの検出を検出す
ることによって、間接的に電子機器制御用の電波信号のキャリアレベルを検出するようにしている。
【００４５】
これより、制御手段は、無線送信回路が電子機器を制御するための電波信号を送信するより前に、電波信号のキャリアレベルを高めるようにスイッチ手段の動作を制御することができるので、利用者の操作に対応した電波信号を送信するときには、所定値以上のキャリアレベルの電波信号を送信することができ、安定して電子機器を遠隔制御することができる。
【００４６】
（第１実施形態）
以下、本発明に係るリモコン装置の第１実施形態について、図面を参照して具体的に説明する。なお、以下の説明では、制御対象となる電子機器を洗浄便座装置とし、この洗浄便座装置の各種機能を遠隔制御するリモコン装置に本発明を適用した場合を例に挙げて説明を行うが、本発明は、これに限定されるものではなく、壁面に着脱可能であって、電波信号を送信する無線送信回路を有し、この無線送信回路から制御対象である電子機器へ電波信号を送信することにより、電子機器の動作を遠隔制御するものであれば、任意のリモコン装置に対して適用することができるものである。
【００４７】
図１及び図２はリモコン装置の使用形態を示す斜視図であり、図３はリモコン装置を示す斜視図であり、図４はプリント基板の前面側を示す模式図であり、図５はプリント基板の背面側を示す模式図であり、図６は第１実施形態のリモコン装置を示す機能ブロック図であり、図７及び図８は無線送信回路に生じるインピーダンスを示す断面模式図であり、図９は制御回路の動作を示すフローチャートであり、図１０は第２実施形態のリモコン装置を示す機能ブロック図である。
【００４８】
（リモコン装置の使用形態の説明）
図１に示すように、リモコン装置１は、洗浄便座装置２が設置されているトイレブース３の壁面４で、利用者が操作しやすい位置に着脱自在に取付けられるものである。
【００４９】
これら洗浄便座装置２及びリモコン装置１が設置されるトイレブース３の壁面４は、衛生面や耐久性を考慮して鋼鈑５の表面を多層の塩化ビニル（塩ビ）シート６で被覆した塩ビ鋼鈑により形成されている。
【００５０】
そして、このリモコン装置１は、洗浄便座装置２が備える局部洗浄機能、脱臭機能、局部乾燥機能、便器洗浄機能などの各種機能に対応した操作ボタン７を備えており、利用者がこの操作ボタン７を押圧操作することにより、その操作に対応した電波信号を洗浄便座装置２へ送信して、洗浄便座装置２の各種機能を遠隔制御して作動させるものである。
【００５１】
また、図２に示すように、このリモコン装置１は、利用者が壁面４から取外し、手に取って使用することができるものである。
【００５２】
（リモコン装置の説明）
リモコン装置２は、図３に示すように、略箱型の形状をしており、その筐体８前面には、洗浄便座装置２の各種機能を作動させるための複数の操作ボタン７や、洗浄便座装置２の現在の動作状態などを表示する表示パネル９などを備えている。
【００５３】
また、この筐体８の背面側には、リモコン装置１を壁面４に係止するための係止穴（図示略）を備えており、この係止穴を図２に示すトイレブース３の壁面４に取り付けたハンガー１０に係合することにより、リモコン装置１を壁面４に着脱自在な構成としている。
また、このリモコン装置１は、図４に示すように、その筐体８の内部にプリント基板１
１を備えており、このプリント基板１１の前面側には、利用者による操作ボタン７の操作に対応した電波信号を洗浄便座装置２へ送信する無線送信回路１３の他、後述するキャリアレベル検出回路１２、センサ回路２０、リレー２１など（図６参照。）といった各種電子回路１４が形成されている。
【００５４】
また、図５に示すように、プリント基板１１の背面側には、無線送信回路１３が占める領域をプリント基板１１の背面側から被覆する位置にシールド１５を備えている他、リモコン装置１の電源として機能する電池１６や、この電池１６から電力を取り出す電池ホルダ１７などを備えている。
【００５５】
特に、シールド１５は、銅箔により形成しており、接地電位（以下、「グランド：ＧＮＤ１８」という。）に接続した状態で無線送信回路１３を動作させたときに、無線送信回路１３との間に所定のインピーダンスを発生させるインピーダンス発生手段として機能するものである。
【００５６】
また、このシールド１５は、スイッチ手段として機能するリレー２１を介してＧＮＤ１８に接続されており、リレー２１を切替えることによりＧＮＤ１８に接続された状態と、ＧＮＤ１８から切断された状態とを切替えできるように構成している。
【００５７】
なお、本実施形態ではシールド１５を形成する部材として銅箔を用いているが、シールドを形成する部材はこれに限定されるものではなく導電性を有し、ＧＮＤ１８と接続することによって無線送信回路１１との間に所定のインピーダンスを発生させることができる部材であれば任意の部材を用いて形成することができる。
【００５８】
次に、このように構成したリモコン装置１が備える機能について、図６に示す第１実施形態のリモコン装置１の機能ブロック図を参照して説明する。
【００５９】
図６に示すように、リモコン装置１は、制御回路１９と、操作ボタン７と、表示パネル９と、センサ回路２０と、無線送信回路１３と、キャリアレベル検出回路１２と、シールド１５と、リレー２１と、電源２２とを備えている。なお、図６中の符号１８はＧＮＤを示している。
【００６０】
制御回路１９は、ＣＰＵ（Central Processing Unit）と、このＣＰＵを動作させるた
めのプログラムを格納したメモリとを備え、リモコン装置１全体の制御を統括するものである。
【００６１】
表示パネル９は、制御回路１９と接続された液晶表示装置であり、制御回路１９による制御に基づいて、リモコン装置１及び洗浄便座装置２の現在の動作状態などを表示するものである。
【００６２】
操作ボタン７は、利用者が洗浄便座装置２の機能を作動させる際に押圧操作するボタンスイッチである。なお、ここでは説明を簡単にするために、複数個の操作ボタン７を１つのブロックにより表すようにしている。
【００６３】
センサ回路２０は、操作ボタン７に接続された圧力センサであり、利用者により操作ボタン７が押圧操作されたことを検出すると、その検出結果を示す信号を制御回路１９へ入力するものである。
【００６４】
無線送信回路１３は、電波信号生成回路２３と送信用アンテナ２４とから構成しており、制御回路１９と接続されている。そして、電波信号生成回路２３は、制御回路１９から
入力される制御信号に基づいて、利用者による操作ボタン７の操作に対応した電波信号を生成して送信用アンテナ２４へ出力し、送信用アンテナ２４から洗浄便座装置２へ電波信号を送信するようにしている。
【００６５】
また、この無線送信回路１３は、初期設定として、リモコン装置１を塩ビ鋼鈑に取付けた状態で、制御対象の電子機器が良好に電波信号を受信できるように、無線送信回路１３を構成する各素子の抵抗値、容量値、インダクタンスを予め調整することにより、無線送信回路１３と送信用アンテナ２４とのマッチングを行っておく。
【００６６】
また、電波信号生成回路２３は、制御回路１９が次に説明するキャリアレベル検出回路１２によって検出したキャリアレベルが所定の値よりも低いと判断した場合に、利用者による操作ボタン７の操作に対応した電波信号を出力する前に、後述する試験信号を生成して送信用アンテナに出力するようにしている。
【００６７】
キャリアレベル検出回路１２は、電波信号生成回路２３が送信用アンテナ２４へ出力する電波信号のキャリアレベルを検出するキャリアレベル検出手段として機能する回路であり、検出した電波信号のキャリアレベルを示す信号を制御回路１９へ出力するものである。
【００６８】
この検出結果信号が入力されると、制御回路１９は、キャリアレベル検出回路１２の検出結果信号に基づいて、電波信号のキャリアレベルが所定の値（洗浄便座装置２が十分に受信可能なキャリアレベル）よりも低いか否かの判断を行い、所定の値よりも低いと判断したときに、リレー２１へ切替信号を出力する。
【００６９】
シールド１５は、上記したように銅箔により形成され、リレー２１を介してＧＮＤ１８と接続／切断可能に接続されており、ＧＮＤ１８と接続されたときに所定のインピーダンスを発生させるインピーダンス発生手段として機能するものである。
【００７０】
このシールド１５は、図７に示すように、リモコン装置１を壁面４に取り付け、ＧＮＤ１８と切断した状態で無線送信回路１３を動作させると、無線送信回路１３との間にほとんどインピーダンスを発生させないが、このとき無線送信回路１３と壁面内の鋼鈑８との間には比較的大きなインピーダンス（以下、「鋼鈑インピーダンスＣ１」という。）が発生する。
【００７１】
一方、シールド１５は、図８に示すように、利用者がリモコン装置１を手に取って使用するときのように壁面４から取外され、ＧＮＤ１８と接続した状態で無線送信回路１３を動作させると、無線送信回路１３とシールド１５との間に所定のインピーダンス（以下、「シールドインピーダンスＣ２+Ｃ３」という。）を発生させる。
【００７２】
このとき、無線送信回路１３と壁面４内の鋼鈑５とは十分に離隔した位置関係となっているため、無線送信回路１３と鋼鈑５との間には、鋼鈑インピーダンスＣ１がほとんど生じない。
【００７３】
そのため、特にこのシールド１５は、図８に示す状態において発生するシールドインピーダンスＣ２+Ｃ３が、図７に示す状態において発生する鋼鈑インピーダンスＣ１と略等
しくなるように、銅箔の面積、厚さ、接地位置を予め設定して設けるようにしている。なお、実際の鋼鈑インピーダンスＣ１及びシールドインピーダンスＣ２+Ｃ３には、インダ
クタンス成分も含まれているが、図７及び図８では、説明を簡単にするため、鋼鈑インピーダンスＣ１及びシールドインピーダンスＣ２+Ｃ３の容量成分だけを図示している。
【００７４】
リレー２１は、制御回路１９から入力される切替信号に基づいて、シールド１５とＧＮＤ１８との接続と切断とを切替えるスイッチ手段として機能するものである。
【００７５】
電源２２は、２枚のボタン電池１６であり、リモコン装置２の各構成要素へ電力を供給するものである。なお、図６では、説明を簡単にするために、電源２２とリモコン装置２の各構成要素との接続線は省略している。
【００７６】
このような各構成要素によりリモコン装置１を構成したことによって、利用者が壁面４に取り付けてあるリモコン装置１を取り外して使用した場合に、制御回路１９がキャリアレベル検出回路１２により検出したキャリアレベルが所定の値よりも低いと判断すると、リレー２１へ切替信号を出力してシールド１５とＧＮＤ１８との接続状態を切替えることにより、無線送信回路１３に生じるインピーダンスを所定のインピーダンスに保つことができるので、リモコン装置１の使用形態に関わらず洗浄便座装置２へ所定レベル以上のキャリアレベルを有する電波信号を送信することができ、これにより、洗浄便座装置２の機能を安定して遠隔制御することができる。
【００７７】
（制御回路による制御動作の説明）
ここで、制御回路１９による制御について、図９に示すフローチャートを参照して説明する。
【００７８】
図９に示すように、制御回路１９は電源が投入されると、まず、センサ回路２０から入力される信号に基づいて、利用者により操作ボタン７が操作されたか否かの判断を行い（ステップＳ１）、操作ボタン７が操作されたと判断した場合に処理をステップＳ２へ移し、操作ボタン７が操作されていないと判断した場合に、ステップＳ１の処理を繰り返し行うことにより待機状態となる。
【００７９】
ステップＳ２において制御回路１９は、試験信号送信タイマの値を初期化する処理を行い、その後、無線送信回路１３の電波信号生成回路２３へ試験信号の生成を指示する制御信号を出力することによって、電波信号生成回路２３に試験信号を生成させて送信用アンテナへ出力させると共に、送信用アンテナから試験信号を送信させる処理を行う（ステップＳ３）。
【００８０】
ここで初期化する試験信号送信タイマとは、電波信号生成回路２３が試験信号を連続的に出力可能な時間を規制するものであり、この試験信号送信タイマが所定の時間計測を行っている間、電波信号生成回路２３は送信用アンテナへ試験信号を出力し続けるようにしている。
【００８１】
ここで、キャリアレベル検出回路１２は、電波信号生成回路２３が送信用アンテナへ出力した試験信号のキャリアレベルを検出し、その検出結果を示す信号を制御回路１９へ出力する。
【００８２】
次に制御回路１９は、キャリアレベル検出回路１２が出力した試験信号のキャリアレベルを示す信号を受信する処理を行い（ステップＳ４）、その後、処理をステップＳ５へ移す。
【００８３】
ステップＳ５において制御回路１９は、ステップＳ４で受信したキャリアレベルが所定値（洗浄便座装置２が受信するために十分な電波信号のキャリアレベルを示す規格値）よりも低いか否かの判断を行い、キャリアレベルが所定値よりも低いと判断した場合に処理をステップＳ６へ移し、キャリアレベルが所定値よりも高いと判断した場合に処理をステップＳ９へ移す。
【００８４】
ステップＳ９において制御回路１９は、電波信号生成回路２３へ利用者による操作ボタン７の操作に対応した電波信号を生成させるための制御信号を送信する処理を行うことにより、無線送信回路１３から洗浄便座装置２へ電波信号を送信させ、その後、処理をステップＳへ移す。
【００８５】
ステップＳ６において制御回路１９は、リレー２１へ切替信号を送信し、その後、処理をステップＳ７へ移す。
【００８６】
ここでリレー２１は、切替信号に基づいてシールド１５とＧＮＤ１８との接続状態を切替える。すなわち、シールド１５がＧＮＤ１８に接続されている状態であれば、その接続を切断させ、シールド１５がＧＮＤ１８から切断されている状態であれば接続させる。
【００８７】
ステップＳ７において制御回路１９は、ステップＳ２に置いて初期化した試験信号送信タイマによる時間計測が終了（タイムアウト）したか否かの判断を行い、試験信号送信タイマによる計測がタイムアウトしていないと判断した場合に処理をステップＳ３へ移し、試験信号送信タイマによる計測がタイムアウトしたと判断した場合に処理をステップＳ８へ移す。
【００８８】
ステップＳ８において制御回路１９は、表示パネル９にエラーメッセージを表示させる処理を行った後、処理を終了する。
【００８９】
（第２実施形態）
次に、本発明に係るリモコン装置１の第２実施形態について、図１０を参照して説明する。第２実施形態に係るリモコン装置１aは、第１実施形態に係るリモコン装置１に加え
、送信用アンテナ２４から送信された電波信号を受信する受信用アンテナ２５と、この受信用アンテナ２５に接続した電波受信回路２６とを備えている。なお、図１０に示すリモコン装置１aにおいて、図６に示すリモコン装置１と同様の構成要素については、同一の
符号を付することとし、その説明を省略する。
【００９０】
（第２実施形態のリモコン装置を示す機能ブロック図の説明）
第２実施形態に係るリモコン装置１aは、図１０に示すように、操作ボタン７と、表示
パネル９と、センサ回路２０と、制御回路１９と、無線送信回路１３と、シールド１５と、リレー２１と、ＧＮＤ１８と、キャリアレベル検出回路１２と、受信用アンテナ２５と、電波受信回路２６とを備えている。なお、図１０における符号２３は電波信号生成回路、符号２４は送信用アンテナである。
【００９１】
電波受信回路２６は、送信用アンテナ２４が送信する電波信号である試験信号を受信用アンテナ２５を介して受信する回路であり、受信した試験信号をキャリアレベル検出回路１２へ出力するように構成している。
【００９２】
そして、キャリアレベル検出回路１２は、電波受信回路２６から入力された試験信号のキャリアレベルを検出し、その検出結果を示す信号を制御回路１９へ送信するように構成している。
【００９３】
このように、第２実施形態のリモコン装置１aでは、送信用アンテナ２４から出力され
る電波信号、すなわち、洗浄便座装置２が実際に受信するものと同じ電波信号を電波受信回路２６により受信し、キャリアレベル検出回路１２により、その電波信号のキャリアレベルを検出するように構成したため、より一層正確に電波信号のキャリアレベルを検出することができる。
【００９４】
そして、制御回路１９は、キャリアレベル検出回路１２から入力される正確な検出結果に基づいてリレーの切替制御を行うことができるので、洗浄便座装置２へより一層安定して電波信号を送信することができる。
【図面の簡単な説明】
【００９５】
【図１】リモコン装置の使用形態を示す斜視図である。
【図２】リモコン装置の使用形態を示す斜視図である。
【図３】リモコン装置を示す斜視図である。
【図４】プリント基板の前面側を示す模式図である。
【図５】プリント基板の背面側を示す模式図である。
【図６】第１実施形態のリモコン装置を示す機能ブロック図である。
【図７】無線送信回路に生じるインピーダンスを示す断面模式図である。
【図８】無線送信回路に生じるインピーダンスを示す断面模式図である。
【図９】制御回路の動作を示すフローチャートである。
【図１０】第２実施形態のリモコン装置を示す機能ブロック図である。
【符号の説明】
【００９６】
１  リモコン装置
２  洗浄便座装置
３  トイレブース
４  壁面
５  鋼鈑
６  塩化ビニルシート
７  操作ボタン
８  筐体
９  表示パネル
１０  ハンガー
１１  プリント基板
１２  キャリアレベル検出回路
１３  無線送信回路
１４  電子回路
１５  シールド
１６  電池
１７  電池ホルダ
１８  ＧＮＤ
１９  制御回路
２０  センサ回路
２１  リレー
２２  電源
２３  電波信号生成回路
２４  送信用アンテナ
２５  受信用アンテナ
２６  電波受信回路
【図１】
2007129646.tif 000003
【図２】
2007129646.tif 000004
【図３】
2007129646.tif 000005
【図４】
2007129646.tif 000006
【図５】
2007129646.tif 000007
【図６】
2007129646.tif 000008
【図７】
2007129646.tif 000009
【図８】
2007129646.tif 000010
【図９】
2007129646.tif 000011
【図１０】
2007129646.tif 000012